【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
コア／シェル粒子であって、該粒子のコアは基本的に硬く、基本的に単分散の粒径分布を有し、コア材質とシェル材質の屈折率には差があり、コアは流動性を有しないかまたはシェル材質の融点以上の温度ではじめて流動性を有するようになる材質からなり、シェルは中間層を介してコアに結合しており、シェルは少なくとも１種のＣ4−Ｃ8−アルキルアクリレートおよび少なくとも１種のＣ4−Ｃ8−アルキル−またはアルキルアリール−メタクリレートをモノマーユニットとして含むコポリマーからなることを特徴とするコア／シェル粒子。
【請求項２】
前記シェルが、モノマー単位として（ａ）１０〜７０重量％、好ましくは２５〜６０重量％、特に好ましくは３５〜５５重量％のＣ4−Ｃ8−アルキルアクリレート（ｂ）１０〜８０重量％、好ましくは２５〜７０重量％、特に好ましくは３５〜６０重量％のＣ4−Ｃ8−アルキル−またはアルキルアリール−メタクリレート、および（ｃ）０．５〜４０重量％、好ましくは１〜３０重量％、特に好ましくは５〜２０重量％のメチルメタクリレートを含み、いずれの場合にもモノマー単位合計の重量比基準であることを特徴とする請求項１に記載のコア／シェル粒子。
【請求項３】
少なくとも１種のＣ4−Ｃ8−アルキルアクリレートが、ｎ−ブチルアクリレート、イソブチルアクリレート、ｓｅｃ−ブチルアクリレート、ｎ−プロピルアクリレート、ｎ−ペンチルアクリレート、ｎ−ヘキシルアクリレートおよびｎ−オクチルアクリレートから成る群から選ばれ、ここで少なくとも１種のＣ4−Ｃ8−アルキルアクリレートは好ましくはｎ−ブチルアクリレートである、請求項１または２に記載のコア／シェル粒子。
【請求項４】
少なくとも１種のＣ4−Ｃ8−アルキル−またはアルキルアリール−メタクリレートが、ｎ−ブチルメタクリレート、イソブチルメタクリレート、ｓｅｃ−ブチルメタクリレート、ｎ−プロピルメタクリレート、ｎ−ペンチルメタクリレート、ｎ−ヘキシルメタクリレート、シクロヘキシルメタクリレート、ｎ−オクチルメタクリレートおよびベンジルメタクリレートから成る群から選ばれ、ここで少なくとも１種のＣ4−Ｃ8−アルキルアクリレートが好ましくはｎ−ブチルメタクリレートであることを特徴とする請求項１〜３のいずれか１項に記載のコア／シェル粒子。
【請求項５】
シェルがランダムコポリマー、好ましくはｎ−ブチルアクリレート、ｎ−ブチルメタクリレートおよびメチルメタクリレートから製造されたものから形成されることを特徴とする請求項１〜４のいずれか１項に記載のコア／シェル粒子。
【請求項６】
シェルが少なくとも部分的に架橋した中間層を介してコアにグラフト重合していることを特徴とする請求項１〜５のいずれか１項に記載のコア／シェル粒子。
【請求項７】
コアが有機ポリマーからなり、これらは好ましくは架橋しており、特に好ましくはコアが架橋したポリスチレンまたはメチルメタクリレートとスチレンのコポリマーからなることを特徴とする請求項１〜６のいずれか１項に記載のコア／シェル粒子。
【請求項８】
コアが無機材質、好ましくは金属若しくは半金属または金属カルコゲナイド若しくは金属プニクタイド、特に好ましくは二酸化ケイ素からなることを特徴とする請求項１〜７のいずれか１項に記載のコア／シェル粒子。
【請求項９】
コア／シェル粒子が約５ｎｍ〜約２０００ｎｍの範囲、好ましくは約５〜２０ｎｍの範囲または１００〜５００ｎｍの範囲の平均粒子径を有することを特徴とする請求項１〜８のいずれか１項に記載のコア／シェル粒子。
【請求項１０】
コア：シェル重量比が２：１〜１：５の範囲、好ましくは３：２〜１：３の範囲、そして特に好ましくは１．２：１未満の範囲であることを特徴とする請求項１〜９のいずれか１項に記載のコア／シェル粒子。
【請求項１１】
コア材質とシェル材質の屈折率の差が少なくとも０．００１、好ましくは少なくとも０．０１、特に好ましくは少なくとも０．１であることを特徴とする請求項１〜１０のいずれか１項に記載のコア／シェル粒子。
【請求項１２】
請求項１〜１１のいずれか１項に記載のコア／シェル粒子、ならびに所望により補助剤および添加剤を含む顆粒。
【請求項１３】
補助剤および添加剤として存在するものが、酸化防止剤、紫外線安定剤、殺生物剤、可塑剤、フィルム形成補助剤、流動制御剤、賦形剤、溶融補助剤、粘着剤、離型剤、塗布補助剤、離型補助剤および例えば増粘剤のような粘度調整剤からなる群から選ばれた少なくとも１種以上であることを特徴とする請求項１２に記載の顆粒。
【請求項１４】
補助剤および添加剤の量が顆粒の重量に対して４０重量％以下、好ましくは２０重量％以下、特に好ましくは５重量％以下であることを特徴とする請求項１２または１３に記載の顆粒。
【請求項１５】
補助剤および添加剤として存在するものが、少なくともフィルム形成補助剤およびフィルム重合調整剤から選択されるものであり、好ましくは一般式ＨＯ−ＣＨ2−Ｏ−（ＣnＨ2nＯ）mＨ、（ここでｎは２〜４の数、好ましくは２または３であり、ｍは０〜５００の数である）の化合物であり、ここでエチレングリコール、プロピレングリコール、ジ−、トリ−およびテトラエチレングリコール、ジ−、トリ−およびテトラプロピレングリコール、ポリエチレンオキサイド、ポリプロピレンオキサイドならびに分子量が約１５０００以下でエチレンオキサイド基およびプロピレンオキサイド基のランダムまたは塊状分布を有するエチレンオキサイド−プロピレンオキサイドコポリマーであることが特に好ましいことを特徴とする請求項１２〜１４のいずれか１項に記載の顆粒。
【請求項１６】
補助剤および添加剤として存在するものが、紫外線照射および風化作用に対する安定剤から選択され、好ましくは２，４−ジヒドロキシベンゾフェノン誘導体、２−シアノ−３，３’−ジフェニルアクリレート誘導体、２，２’，４，４’−テトラヒドロキシベンゾ
フェノン誘導体、ｏ−ヒドロキシフェニルベンゾトリアゾール誘導体、サリチル酸エステル、ｏ−ヒドロキシフェニル−ｓ−トリアジンおよび立体障害アミン、ならびにこれらの化合物の混合物からなる群から選ばれた少なくとも１種の化合物であることを特徴とする請求項１２〜１５のいずれか１項に記載の顆粒。
【請求項１７】
（ａ）請求項１〜１１のいずれか１項に記載のコア／シェル粒子
（ｂ）少なくとも１種の溶媒または分散媒、および
（ｃ）所望により分散助剤
を含む、分散液。
【請求項１８】
前記分散液が少なくとも１種の分散助剤を含み、ここで使用される分散助剤が好ましくは水溶性、極性基を含有する高分子有機化合物、例えばポリビニルピロリドン、ビニルプロピオン酸エステルもしくは酢酸エステルとビニルピロリドンのコポリマー、アクリレートおよびアクリロニトリルの部分的に鹸化されたコポリマー、異なった残存酢酸エステル含有量を有するポリビニルアルコール、セルロースエーテル、ゼラチン、ブロックコポリマー、化学変性された澱粉、カルボキシル基および／またはスルホニル基を含有する低分子量ポリマー、またはこれらの物質の混合物などであり、ここで分散液中の分散助剤の割合は好ましくは０．０１〜１０重量％の範囲であり、特に好ましくは０．５〜５重量％の範囲であることを特徴とする請求項１７に記載の分散液。
【請求項１９】
前記分散液が少なくとも１種の保護コロイドを含み、ここで使用される保護コロイドが好ましくは残存する酢酸エステル含有量が３５ｍｏｌ％未満、とりわけ５〜３９ｍｏｌ％であるポリビニルアルコール、および／またはビニルエステル含有量が３５重量％未満、とりわけ５〜３０重量％であるビニルピロリドン−ビニルプロピオン酸エステルコポリマーであることを特徴とする請求項１７または１８に記載の分散液。
【請求項２０】
前記分散液が少なくとも１種の非イオン性またはイオン性の乳化剤を含み、ここで使用される乳化剤が好ましくはエトキシル化またはプロポキシル化された、比較的に長鎖のアルカノールまたはアルキルフェノールであり、エトキシル化またはプロポキシル化の度合いが異なっているか（例えばアルキレンオキサイド０〜５０ｍｏｌとの付加化合物）あるいはその中和され、硫酸化され、スルホン化され、あるいはリン酸化された誘導体であり、とりわけ、非イオンの乳化剤の使用とりわけエトキシル化されたアルキルフェノールの使用が好ましい場合に中和されたジアルキルスルホコハク酸エステルまたはアルキルジフェニルオキサイドジスルホネートが好ましいことを特徴とする請求項１７〜１９のいずれか１項に記載の分散液。
【請求項２１】
前記分散液が少なくとも１種の非イオン性またはイオン性の乳化剤および少なくとも１種の保護コロイドを含むことを特徴とする請求項１７〜２０のいずれか１項に記載の分散液。
【請求項２２】
ａ）分散された単分散のコアの表面処理、および
ｂ）有機ポリマーを含むシェルの、ａ）で処理したコアへの塗布、
による請求項１７〜２１のいずれか１項に記載の分散液の製造方法。
【請求項２３】
前記単分散のコアがステップａ１）においてエマルジョン重合により得られ、架橋したポリマーの中間層は、コアに対して好ましくはエマルジョン重合またはＡＴＲ重合によってステップａ２）において適用され、前記中間層は好ましくはシェルがそこへ共有結合可能な反応中心を有するものであることを特徴とする請求項２２に記載の分散液の製造方法。
【請求項２４】
ステップｂ）がグラフト化であり、好ましくはエマルジョン重合またはＡＴＲ重合によるものであることを特徴とする請求項２２または２３に記載の分散液の製造方法。
【請求項２５】
前記無機コアが、シェルをその上に重合する前にシェルとの結合を可能にする前処理を受けることを特徴とする請求項２２または２３に記載の分散液の製造方法。
【請求項２６】
請求項２２〜２５のいずれか１項に記載の分散液が、乾燥され混練されていることを特徴とする、コア／シェル粒子を含む顆粒の製造方法。